(57)【要約】【課題】外部端子相間に取付けた絶縁バリアを必要な長さだけ引出して得るようにして、個々のケースに適した必要な長さの絶縁を施し、相間絶縁の信頼性の高い遮断器を得る。【解決手段】過電流を検出したとき、電路の通電を遮断する遮断器において、外部端子間の絶縁を強化する絶縁バリア９を外部端子３，４の相間に設けると共に、外部端子３，４に沿う絶縁バリア９の引出し長さを調整できるようにした。また、絶縁バリア９は外部端子３，４の取付ベース５に設けた収納溝１１に複数段形式で収納され、絶縁を要するときに、外部端子３，４に沿って所要段数引き出されるようにした。【選択図】        図２
2004227905.tif 000002
【特許請求の範囲】
【請求項１】
過電流を検出したとき、電路の通電を遮断する遮断器において、外部端子間の絶縁を強化する絶縁バリアを上記外部端子の相間に設けると共に、上記外部端子に沿う上記絶縁バリアの引出し長さを調整できるように構成したことを特徴とする遮断器。
【請求項２】
上記絶縁バリアは上記外部端子の取付ベースに設けた収納溝に収納され、絶縁を要するときに、上記外部端子に沿って所要長さ引き出されるように構成した請求項１記載の遮断器。
【請求項３】
上記絶縁バリアは上記外部端子の取付ベースに設けた上記収納溝に複数段形式で収納され、絶縁を要するときに、上記外部端子に沿って所要段数引き出されるように構成した請求項２記載の遮断器。
【請求項４】
上記絶縁バリアは弾性体で形成され、上記収納溝との間で弾性摺動し得るようにした請求項２又は請求項３記載の遮断器。
【請求項５】
上記絶縁バリアは、絶縁性ゴムシートをロール状に巻いて、上記外部端子の取付ベースに設けた収納溝に収納され、絶縁を要するときに、上記外部端子に沿って所要長さ引き出されるように構成した請求項１又は請求項２記載の遮断器。
【請求項６】
上記絶縁バリアは遮断器の本体ベースに設けた収納溝に収納され、絶縁を要するときに、上記外部端子に沿って所要長さ引き出されるように構成した請求項１記載の遮断器。
【請求項７】
上記絶縁バリアは配線用遮断器の上記外部端子の相間壁に設けた収納溝に収納され、絶縁を要するときに、上記外部端子に沿って所要長さ引き出されるように構成した請求項１記載の遮断器。
【発明の詳細な説明】
【０００１】
【発明の属する技術分野】
この発明は遮断器、特に、相間に絶縁バリアが設けられた気中遮断器や配線用遮断器に関するものである。
【０００２】
【従来の技術】
従来の気中遮断器においては、隣接する電源側端子および負荷側端子（電源側端子および負荷側端子を総称して外部端子という）間を導電性異物やじんあいによる短絡事故から防止するために、外部端子相間に絶縁バリアを取付けたものがある。なお、一般的な気中遮断器は、例えば、特許文献１に記載されている。
【０００３】
【特許文献１】
特開平１０―７４４４２号公報
【特許文献２】
特許第２９００３３２号公報
【０００４】
【発明が解決しようとする課題】
しかし、従来の遮断器の絶縁バリアは、長さが一定であったため、遮断器を取付ける盤によっては、その長さが短すぎて必要な長さの安全な絶縁を施すことができなかったか、又は長すぎて使用できない場合があったなどの問題があった。
【０００５】
この発明は、かかる問題点を解決するためになされたもので、外部端子相間に取付けた絶縁バリアを必要な長さだけ引出して得るようにして、個々のケースに適した必要な長さの絶縁を施し、相間絶縁の信頼性の高い遮断器を得ることを目的とする。
【０００６】
【課題を解決するための手段】
この発明に係わる遮断器は、過電流を検出したとき、電路の通電を遮断する遮断器において、外部端子間の絶縁を強化する絶縁バリアを上記外部端子の相間に設けると共に、上記外部端子に沿う上記絶縁バリアの引出し長さを調整できるように構成したものである。
【０００７】
【発明の実施の形態】
実施の形態１．
図１はこの発明の実施の形態１である遮断器を示す斜視図で、絶縁バリアを収納した状態を示す。図２は実施の形態１である遮断器を示す斜視図で、絶縁バリアを一段引き出した状態を示す。図３は実施の形態１である遮断器を示す斜視図で、絶縁バリアを二段引き出した状態を示す。図４は図３の左側面図である。図５は図４のＡ―Ａ線断面図である。
【０００８】
図において、気中遮断器１は、内部に一対の接点を有し、過電流を検出したとき、図示しない開閉機構が動作し、電路の通電を遮断する。アングル６は、その底面がネジなどにより外部に設けられた取付板などに固定されている。アングル６は、又、引出枠２を構成するサイドフレーム７，８に取付けられている。引出枠２は、引出枠２に設けた引出レール（図示しない）によって、遮断器を出し入れできるようにしたものである。なお、引き出し装置に収納されない遮断器の場合（実施の形態４，５の図１６，図１７）には、この引出枠２は不要である。
【０００９】
電源側端子３は変圧器の２次側などに接続される。負荷側端子４は電動機などの負荷に接続される。電源側端子３および負荷側端子４を総称して外部端子と称する。電力の供給経路は、例えば、変圧器の２次側→外部電源側端子３→図示しない中継端子→図示しない気中遮断器の内部電源側端子→図示しない気中遮断器の接点→図示しない気中遮断器の内部負荷側端子→中継端子→外部負荷側端子４→電動機である。なお、中継端子は、外部電源側端子３、外部負荷側端子４と気中遮断器の内部電源側端子、内部負荷側端子をそれぞれ接続するものである。
【００１０】
取付ベース５は、例えば、電気絶縁性の熱硬化性樹脂（フェノール樹脂など）の成形品により構成され、電源側端子３と負荷側端子４を組み込み固定する。取付ベース５は、三相の場合、３個の左取付ブロック５ａと３個の右取付ブロック５ｂから構成されている。アングル６は取付ベース５を固定する。サイドフレーム（Ｌ）７とサイドフレーム（Ｒ）８は一対で引出枠２を構成する。絶縁バリア９は、電源側端子３と負荷側端子４相間の絶縁を強化し、導電性異物やじんあいによる短絡事故を防止するもので、ナイロン材成形品やゴムなどにより構成される。
【００１１】
収納溝１１（図５）は、取付ベース５に形成され、絶縁バリア９を収納すると共に、絶縁バリア９を外部端子相間の絶縁強化のため、外部端子に沿って必要な長さ引出したとき、絶縁バリア９を相間に保持固定する。図６は実施の形態１の絶縁バリアとその収納溝の部分の拡大断面図である。突起１２は収納溝１１の出口を狭くするように取付ベース５の端部に設けられており、絶縁バリアの二段目９ｃの根元部に設けられた突起９ｄと係合し、絶縁バリアの二段目９ｃの根元部の収納溝１１からの引出を阻止する。突起９ｆは、絶縁バリアの二段目９ｃに形成された絶縁バリアの一段目９ａの収納溝９ｅの出口を狭くするように、絶縁バリアの二段目９ｃの先端部に設けられており、絶縁バリアの一段目９ａの根元部に設けられた突起９ｂと係合し、絶縁バリアの一段目９ａの根元部の収納溝９ｅからの引出を阻止する。なお、絶縁バリアの二段目９ｃに形成された収納溝９ｅにおけるガイド溝９ｇは、絶縁バリアの一段目９ａの収納と引出を案内するものである。
【００１２】
図７は取付ベースの左取付ブロックを示す斜視図である。図８は電源側端子と負荷側端子の一相分を収納固定した取付ベースを示す斜視図である。図９は電源側端子と負荷側端子の三相分を積層した取付ベースを示す斜視図である。図１０は取付ブロックに絶縁バリアが収納された様子を示す斜視図である。図１１は絶縁バリアを収納した取付ベースと引出枠の分解斜視図である。
【００１３】
図９に示す三相分を積層した取付ベースを組み立てるには、まず、図７に示す左取付ブロック５ａに電源側端子３と負荷側端子４を挿入固定し、この左取付ブロック５ａと右取付ブロック５ｂにより電源側端子３と負荷側端子４を囲うように重ねる。この状態を図８に示す。同様に三相分の取付ベース５を組み立てた後、三相分の取付ベースを積層する。この状態を図９に示す。
【００１４】
図１に示す引出し式の気中遮断器を組み立てるには、図１１を参照し、取付ベース５の２つの相間の収納溝１１（図５）に、絶縁バリア９を気中遮断器１本体の側（電源側端子３と負荷側端子４が突出する側と反対の側）から挿入し、アングル６を取付ベース５の上部，下部に取付け、この状態で、サイドフレーム（Ｌ）７とサイドフレーム（Ｒ）８により両側からネジにより締結し固定する。その後、サイドフレーム（Ｌ）７とサイドフレーム（Ｒ）８などが取り付けられた取付ベース５を、図示しない操作ハンドルを回転させることにより、気中遮断器１本体が引出枠２に収納されると共に、電源側端子３と負荷側端子４の気中遮断器１本体側は、気中遮断器１の内部電源側端子と内部負荷側端子とにそれぞれ電気的に接続される（詳細は例えば、特許文献２参照）。なお、収納溝１１の気中遮断器１本体側は気中遮断器１の絶縁性のベース２０により塞がれるため、絶縁バリアの二段目９ｃの根元部が気中遮断器１本体側に必要以上に押し込まれることはない。
【００１５】
次に以上のように構成された気中遮断器の絶縁バリア９の動作を説明する。絶縁バリア９を電源側端子３と負荷側端子４に沿って矢印（ｄ）方向（図２）に引出すことにより、外部端子相間の絶縁を強化することができる。絶縁バリア９は突起１２と突起９ｄ、突起９ｆと突起９ｂ（図６）が係合することにより引出が規制される。収納する場合には、矢印（ｅ）方向（図２）に押し込んで、収納溝１１へ格納する。また絶縁バリア９を一段階引出から二段階引出にすることにより（図２，３）、絶縁バリア９の外部端子に沿う引出長さ（ｃ）を（ｃ‘）に変更できる。このため、外部端子相間に取付けた絶縁バリアを外部端子に沿って必要な長さだけ引出して、個々のケースに適した必要な長さの絶縁を施し、相間絶縁の信頼性の高い遮断器を得ることができる。
なお、絶縁バリア９を二段式の伸縮形式で示したが、三段式の伸縮形式などの複数段式の伸縮形式であっても良い。
【００１６】
実施の形態２．
また、絶縁バリア９の一段目と二段目をゴムのような電気的絶縁性の弾性体で形成して、突起９ｄと収納溝１１および突起９ｂと収納溝９ｅ間が弾性的に圧迫を受けながら摺動する（弾性摺動する）ように構成すると、絶縁バリア９の一段目又は二段目の引出途中でもその位置で比較的強固に保持させることができる。
【００１７】
実施の形態３．
図１２はこの発明の実施形態３である遮断器を示す斜視図で、絶縁バリアを収納した状態を示す。図１３は図１２の絶縁バリアを引出した状態を示す斜視図である。図１４は図１２の絶縁バリアを取りはずした状態を示す斜視図である。図１５は絶縁バリアの取付を示す斜視図である。図において、実施の形態１と同一の符号を付したものは、同一またはこれに相当するものを示す。スプリングローラー１４は、例えばタチカワブラインド社製のロールスクリーンであり、圧延されたゴムのシート（厚さ１ｍｍ、幅２００ｍｍ、引出し長さ２００ｍｍ）をロール状に巻いたもので、絶縁バリア９に設けた取っ手（ゴムシートの先端部に設けた膨らみ部）を持って引き出すことにより、外部端子に沿う引出し長さが調整できる。
【００１８】
スプリングローラー１４の取付は、図１５に示すように、一方の取付ブロック（例えば右取付ブロック５ａ）の上下の取付用凹部１６に上下のスプリングローラー取付用突起１５を半圧入し、この半圧入状態で、他方の取付ブロック（例えば左取付ブロック５ｂ）の上下の取付用凹部１６に上下のスプリングローラー取付用突起１５を半圧入することにより行われる。つまり、一対の取付ブロック５ａ，５ｂで一個のスプリングローラー１４を固定する。
【００１９】
次に以上のように構成された気中遮断器１の絶縁バリア９の動作を説明する。絶縁バリア９を外部端子に沿う矢印（ｆ）方向（図１３）に緩やかに引出すことにより、絶縁バリア９はスプリングローラー１４により所望の引出長さｃ“にすることができ、実施の形態１と同様に外部端子相間の絶縁を強化することができる。また、絶縁バリア９を一旦矢印（ｆ）方向に急に少し引いて離すことにより、矢印（ｇ）方向に吸い込まれて収納できる。絶縁バリア９の紛失防止の観点からは、製品の出荷時点で、絶縁バリア９を取付ベース５の収納溝１７の取付用凹部１６に圧入し、固定しておくことが好ましい。また、実施の形態１に比較して、スプリングローラー１４の収納溝１７は取付ベース５の奥行き方向長さが短くてよい。
【００２０】
実施の形態４．
図１６は実施の形態４を示す遮断器の斜視図である。実施の形態４は実施の形態１〜３と異なり、気中遮断器１の本体ベースに絶縁バリア９が設けられている。絶縁性の本体ベース２０には、電源側端子２１、負荷側端子２２が突出しており、その相間壁２０ａに収納溝１１が設けられ、その収納溝１１に絶縁バリア９が設けられている。絶縁バリア９および収納溝１１については、実施の形態１と同様であるのでその説明を省略する。本体ベース２０には中間ベース２３を介してカバー２４が取付固定されている。相間壁２０ａの端面は中間ベース２３により塞がれるので、絶縁バリア９が中間ベース２３側に入り込むことはない。
【００２１】
実施の形態５．
実施の形態１〜４では気中遮断器について説明したが、この発明は配線用遮断器にも適用できる。図１７はこの発明の実施の形態５に係る遮断器の斜視図である。図１８は図１７の遮断器の組み立てを説明する分解斜視図である。図１９は図１７の遮断器の収納溝に絶縁バリアが収納された状態を説明する部分図である。
【００２２】
図１７に示すように、配線用遮断器（Ｍｏｌｄｅｄ  Ｃａｓｅ  Ｃｉｒｃｕｉｔ  Ｂｒｅａｋｅｒ）３０は、カバー３１、ベース３５により形成されるケースの内部に一対の接点を有し、電路に発生した過電流を遮断するものである。図１７は三相用の配線用遮断器３０の例を示しており、カバー３１、ベース３５は絶縁性のモールド樹脂の成形品により構成されている。
【００２３】
図１８を参照して、配線用遮断器３０の組み立てについて説明する。ベース３５の相間壁３６の一端に設けられた収納溝３７に絶縁バリア４０を挿入する（図１９）。その後、ベース３５に端子板３４（すなわち外部端子）（図１７）、接点を有する固定接触子および可動接触子（図示しない）、可動接触子を開閉させる開閉機構（図示しない）、過電流を検出し、開閉機構を駆動させる過電流検出機構（図示しない）などを配置する。その後、カバー３１をベース３５に被せ、ベース３５にカバー３１をネジ（図示しない）により固定することにより図１７に示す配線用遮断器３０が完成する。
【００２４】
図１８，図１９を参照して、絶縁バリア４０について説明する。実施の形態１と同様の材料により形成された絶縁バリア４０の板状部４０ａは、相間壁３６の先端部（外側端部）に設けられた突起３６ａ、３６ａ間をスライド可能な板厚となっている。他方、絶縁バリア４０の根元部には突起４０ｂが設けられており、この突起４０ｂは収納溝３７をスライド可能でかつ突起３６ａ、３６ａ間はスライドできない大きさに形成されている。
したがって、絶縁バリア４０は、図１７のｐ−ｑ方向（ベース３５の長手方向で、外部端子に沿う方向）に所望長さスライド可能（引き出し可能）となると共に、カバー３１により上部が固定されるので、配線用遮断器３０の組み立て後は、カバー３１およびベース３５からなるケースから脱落しないように保持される。
【００２５】
なお、収納溝３７の長さ（ベース３５の長手方向の長さ）よりも絶縁バリア４０が長い例について説明したが、実施の形態１に示すように、２段式の伸縮形式の絶縁バリア、或いは実施の形態３に示すように、ロールタイプの絶縁バリアを用いることも可能であり、これらの場合には、収納溝３７内に絶縁バリアの大部分を収納することができるので、配線用遮断器を搬送する際に小型化できる。
【００２６】
【発明の効果】
以上説明したように、この発明の遮断器によれば、外部端子間の絶縁を強化する絶縁バリアを上記外部端子の相間に設けると共に、上記外部端子に沿う上記絶縁バリアの引出し長さを調整できるように構成したので、外部端子相間に取付けた絶縁バリアを必要な長さだけ引出しできるため、個々のケースに適した必要な長さの絶縁を施して、相間絶縁の信頼性の高い遮断器を得ることができる。
【図面の簡単な説明】
【図１】この発明の実施の形態１である遮断器を示す斜視図で、絶縁バリアを収納した状態を示す。
【図２】実施の形態１である遮断器を示す斜視図で、絶縁バリアを一段引き出した状態を示す。
【図３】実施の形態１である遮断器を示す斜視図で、絶縁バリアを二段引き出した状態を示す。
【図４】図３の左側面図である。
【図５】図４のＡ―Ａ線断面図である。
【図６】実施の形態１の絶縁バリアとその収納溝の部分の拡大断面図である。
【図７】実施の形態１における取付ベースの左取付ブロックを示す斜視図である。
【図８】実施の形態１における電源側端子と負荷側端子の一相分を収納固定した取付ベースを示す斜視図である。
【図９】実施の形態１における電源側端子と負荷側端子の三相分を積層した取付ベースを示す斜視図である。
【図１０】実施の形態１における取付ブロックに絶縁バリアが収納された様子を示す斜視図である。
【図１１】実施の形態１における絶縁バリアを収納した取付ベースと引出枠の分解斜視図である。
【図１２】実施形態３である遮断器を示す斜視図で、絶縁バリアを収納した状態を示す。
【図１３】図１２の絶縁バリアを引出した状態を示す斜視図である。
【図１４】図１２の絶縁バリアを取りはずした状態を示す斜視図である。
【図１５】実施の形態３における絶縁バリアの取付を示す斜視図である。
【図１６】実施の形態４を示す遮断器の斜視図である。
【図１７】実施の形態５に係る遮断器の斜視図である。
【図１８】図１７の遮断器の組み立てを説明する分解斜視図である。
【図１９】図１７の遮断器の収納溝に絶縁バリアが収納された状態を説明する部分図である。
【符号の説明】
１  気中遮断器                      ２  引出枠
３  電源側端子                      ４  負荷側端子
５  取付ベース                      ６  アングル
７  サイドプレート（Ｌ）                ８  サイドプレート（Ｒ）
９  絶縁バリア                    ９ａ  絶縁バリアの一段目
９ｂ  突起                          ９ｃ  絶縁バリアの二段目
９ｄ  突起                          ９ｅ  収納溝
９ｆ  突起                          ９ｇ  ガイド溝
１１  収納溝                        １２  突起
１４  スプリングローラー            １５  取付用突起
１６  取付用凹部                    １７  収納溝
２０  本体ベース                    ２０ａ  相間壁
２１  電源側端子                    ２２  負荷側端子
２３  中間ベース                    ２４  カバー
３０  配線用遮断器                  ３１  カバー
３４  端子板                        ３５  ベース
３６  相間壁                        ３６ａ  突起
３７  収納溝                        ４０  絶縁バリア
４０ａ  板状部                      ４０ｂ  突起。
【図１】
2004227905.tif 000003
【図２】
2004227905.tif 000004
【図３】
2004227905.tif 000005
【図４】
2004227905.tif 000006
【図５】
2004227905.tif 000007
【図６】
2004227905.tif 000008
【図７】
2004227905.tif 000009
【図８】
2004227905.tif 000010
【図９】
2004227905.tif 000011
【図１０】
2004227905.tif 000012
【図１１】
2004227905.tif 000013
【図１２】
2004227905.tif 000014
【図１３】
2004227905.tif 000015
【図１４】
2004227905.tif 000016
【図１５】
2004227905.tif 000017
【図１６】
2004227905.tif 000018
【図１７】
2004227905.tif 000019
【図１８】
2004227905.tif 000020
【図１９】
2004227905.tif 000021